(57)【要約】【課題】保持したマーカがずれにくい。【解決手段】切れ込み２ａ〜２ｃ及び３ａ〜３ｃにより平板部材４の上面が外部に露出しており、ここにボールマーカＭを磁力により吸着させる金属板２１〜２３が設けられている。これにより、ボールマーカＭを保持する保持領域１ａ〜１ｃの近傍には、平板部材２の上面と平板部材４との間に形成された段差が設けられている。この段差は保持領域１ａ〜１ｃに保持されたボールマーカＭの位置がずれるのを規制する。【選択図】図１
2011019855.tif 000002
【特許請求の範囲】
【請求項１】
磁性材料を含むゴルフ用のボールマーカを磁力により保持する外表面を有するマーカホルダであって、
前記ボールマーカを前記外表面の一領域である吸着領域に磁力により吸着させる磁性部材を備えており、
前記外表面において前記吸着領域の近傍に、前記吸着領域に吸着された前記マーカホルダの位置ずれを規制する段差が形成されていることを特徴とするマーカホルダ。
【請求項２】
前記吸着領域の周囲において、前記段差が形成された領域の反対側には、前記段差より低い段差が形成されているか前記段差が形成されていないことを特徴とする請求項１に記載のマーカホルダ。
【請求項３】
前記吸着領域が周囲の領域と平坦且つ連続に繋がっており、
前記外表面から突出した突出部が前記境界に沿って形成されていることを特徴とする請求項１又は２に記載のマーカホルダ。
【請求項４】
前記ボールマーカが円板形状を有しているとしたとき、前記吸着領域に吸着されたボールマーカを前記吸着領域に沿って前記段差から離隔させると前記ボールマーカを前記吸着領域に吸着させる力が小さくなるように前記磁性部材が配置されていることを特徴とする請求項１〜３のいずれか１項に記載のマーカホルダ。
【請求項５】
前記磁性部材が、前記吸着領域に直交する方向から見て前記段差から離隔する方向に先細りになっていることを特徴とする請求項１〜４のいずれか１項に記載のマーカホルダ。
【発明の詳細な説明】
【技術分野】
【０００１】
本発明は、ゴルフ用のボールマーカを保持する外表面を有するマーカホルダに関する。
【背景技術】
【０００２】
ゴルフ用のボールマーカは磁性材料、特に強磁性を有する材料からなる部分を有していることが多い。特許文献１のマーカホルダは、これを利用して、磁力でボールマーカを吸着させる。
【先行技術文献】
【特許文献】
【０００３】
【特許文献１】実用新案登録第３１１１０４２号
【発明の概要】
【発明が解決しようとする課題】
【０００４】
特許文献１では平板状のホルダにマーカを吸着させるのみであるため、何かにマーカをぶつけるなどした際、マーカがずれ、ホルダから外れてしまったりするおそれがある。
【０００５】
本発明の目的は、マーカがずれにくいマーカホルダを提供することにある。
【課題を解決するための手段及び効果】
【０００６】
本発明のマーカホルダは、磁性材料を含むゴルフ用のボールマーカを磁力により保持する外表面を有する。そして、前記ボールマーカを前記外表面の一領域である吸着領域に磁力により吸着させる磁性部材を備えており、前記外表面において前記吸着領域の近傍に、前記吸着領域に吸着された前記マーカホルダの位置ずれを規制する段差が形成されている。
【０００７】
本発明のマーカホルダによると、吸着領域に吸着されたボールマーカがずれるのが段差により規制される。
【０００８】
また、本発明においては、前記吸着領域の周囲において、前記段差が形成された領域の反対側には、前記段差より低い段差が形成されているか前記段差が形成されていないことが好ましい。つまり、段差の反対側には、段差が低い箇所があるか、又は段差が形成されていない箇所がある。したがって、ボールマーカを段差の反対側へとスライドさせることで、より容易にボールマーカをマーカホルダから取り外すことができる。
【０００９】
また、本発明においては、前記吸着領域が周囲の領域と平坦且つ連続に繋がっており、前記外表面から突出した突出部が前記境界に沿って形成されていてもよい。これによると、突出部によって上記の段差が形成される。
【００１０】
また、本発明においては、前記ボールマーカが円板形状を有しているとしたとき、前記吸着領域に吸着されたボールマーカを前記吸着領域に沿って前記段差から離隔させると前記ボールマーカを前記吸着領域に吸着させる力が小さくなるように前記磁性部材が配置されていることが好ましい。これによると、マーカホルダに保持されたボールマーカを段差から遠ざかるようにスライドさせるとボールマーカを吸着させる力が小さくなるため、より容易にボールマーカをマーカホルダから取り外すことができる。
【００１１】
また、本発明においては、前記磁性部材が、前記吸着領域に直交する方向から見て前記段差から離隔する方向に先細りになっていてもよい。これによると、マーカホルダに保持されたボールマーカを段差から遠ざかるようにスライドさせるとボールマーカを吸着させる力が小さくなるようにマーカホルダを構成することができる。
【図面の簡単な説明】
【００１２】
【図１】本発明の一実施形態に係るマーカホルダの斜視図である。
【図２】図２（ａ）はマーカホルダの平面（表の面）図、図２（ｂ）は底面（裏面）図、図２（ｃ）は図２（ａ）のＣ−Ｃ線断面図である。
【図３】図３（ａ）は上記とは別の一実施形態に係るマーカホルダの平面図、図３（ｂ）は図３（ａ）のＢ−Ｂ線断面図、図３（ｃ）は図３（ｂ）の変形例に係る図である。
【図４】図４（ａ）は上記とはさらに別の一実施形態に係るマーカホルダの平面図、図４（ｂ）は図４（ａ）のＢ’−Ｂ’線断面図である。
【発明を実施するための形態】
【００１３】
［第１の実施形態］
以下、本発明の一実施形態である第１の実施形態に係るマーカホルダ１について図１及び図２を参照しつつ説明する。マーカホルダ１は、ゴルフ用のボールマーカＭを保持するホルダである。マーカホルダ１の外表面にはボールマーカＭを保持可能な３つの保持領域１ａ〜１ｃ（本発明の吸着領域）が設けられている。ボールマーカＭは円盤形状を有する部材であり、永久磁石を含んでいる。
【００１４】
マーカホルダ１は平板部材２〜５を積層した積層構造を有しており、全体として直方体の概略形状を有している。マーカホルダ１の長尺方向に関して端部には、平板部材２〜５の全てを貫通する貫通孔６が形成されており、この貫通孔６に紐などを結びつけることができる。平板部材４及び５は、互いに合同な長方形の平面形状を有している。平板部材５の裏面はマーカホルダ１全体の裏面であり、図２（ｂ）に示すように、氏名７などを表示することによりネームプレートとして使用することができる。
【００１５】
平板部材２及び３は、平面視において互いにほぼ同じ形状、同じ大きさを有している。平板部材２及び３は、平面視において平板部材４及び５と３辺が一致しているが、残りの１辺には、図２（ａ）に示すように、図中の右上方から左下方に向かって斜めに切れ込む切れ込み２ａ〜２ｃ及び３ａ〜３ｃが形成されている。これらの切れ込みはいずれも、平板部材２又は３をその厚み方向に貫通しており、切れ込みの先端の端縁が平面視において半円に沿っている。切れ込みの先端縁とは反対側はマーカホルダ１の側端縁に向かって広がっており、その側端縁に開口している。
【００１６】
切れ込み２ａ〜２ｃは互いに同じ大きさ、同じ形状を有しており、図２中の上下方向に配列されている。また、切れ込み３ａ〜３ｃも互いに同じ大きさ、同じ形状を有しており、平面視において切れ込み２ａ〜２ｃと重なり合うように配置されている。
【００１７】
切れ込み２ａ〜２ｃと切れ込み３ａ〜３ｃとは、互いにほぼ同じ大きさ、同じ形状を有しているが、切れ込み２ａ〜２ｃの方が切れ込み３ａ〜３ｃよりわずかに大きく形成されている。これにより、平面視において切れ込み３ａ〜３ｃの先端縁と切れ込み２ａ〜２ｃの先端縁との間には、平板部材２と平板部材４とに挟まれたポケット状の空間３１〜３３が形成されている。
【００１８】
平板部材４の上面において、切れ込み２ａ〜２ｃ及び切れ込み３ａ〜３ｃを通じて外部に露出した領域が、保持領域１ａ〜１ｃを構成している。したがって、保持領域１ａ〜１ｃと平板部材２の上面との間には、平板部材２及び３の合計の厚みに相当する高さの段差が形成されている。
【００１９】
保持領域１ａ〜１ｃには平板状の金属板２１〜２３（本発明の磁性部材）が配置されている。金属板２１〜２３は、鉄などの強磁性を有する材料から形成されている。金属板２１は図２（ｃ）に示すように、上面が平板部材４の上面と同じ平面に沿うように平板部材４内に埋め込まれている。金属板２２及び２３も同様に構成されている。金属板２１〜２３は、互いに同じ大きさ、同じ形状を有しており、平面視において切れ込み３ａ〜３ｃの先端縁から離隔する方向に先細りに形成されている。切れ込み３ａ〜３ｃの先端縁に近い方の端部は半円状になっている。
【００２０】
以上説明した第１の実施形態によると、永久磁石を有するボールマーカＭを、金属板２１〜２３が設けられた保持領域１ａ〜１ｃに磁力により吸着させて保持させることができる。本実施形態の保持領域１ａ〜１ｃには切れ込み２ａ〜２ｂ及び３ａ〜３ｃが形成されており、これによって、保持領域１ａ〜１ｃと平板部材２の上面との間に段差が形成されている。したがって、保持領域１ａ〜１ｃに吸着させたボールマーカＭが何かにぶつかったりしてボールマーカＭの吸着位置がずれるのが段差により規制される。特に、切れ込み３ａ〜３ｃの先端縁に形成された段差に当接するまでボールマーカＭを挿入すると、例えば図１及び図２（ａ）に示すように、ボールマーカＭの一部が空間３１〜３３内に収容された状態になる。これにより、ボールマーカＭの位置ずれがより確実に防止される。
【００２１】
さらに、ボールマーカＭを吸着させる金属板２１〜２３が、切れ込み３ａ〜３ｃの先端から離隔する方向に先細りに形成されている。これにより、切れ込み３ａ〜３ｃの先端から離隔する方向にボールマーカＭをスライドさせると、ボールマーカＭを保持領域１ａ〜１ｃに吸着させる力が弱くなる。保持領域１ａ〜１ｃに沿った方向にボールマーカＭを動かすのに必要な力は、この方向に関する磁力成分が小さいとすると、ボールマーカＭと保持領域１ａ〜１ｃとの間に作用する摩擦力に抗する力である。切れ込み３ａ〜３ｃの先端から離隔するほどボールマーカＭを保持領域１ａ〜１ｃに吸着させる力が弱くなるので、上記の摩擦力も切れ込み３ａ〜３ｃの先端から離隔するほど小さくなる。これにより、ボールマーカＭを空間３１〜３３まで挿入された位置からスライドさせて保持領域１ａ〜１ｃから取り外したり、空間３１〜３３から離隔した位置から保持領域１ｃ〜１ｃに沿って空間３１〜３３へとスライドさせたりしやすくなっている。
【００２２】
なお、ボールマーカＭを切れ込み３ａ〜３ｃの先端から離隔させると吸着力が弱くなるような形状であれば、金属板２１〜２３が上記以外の形状を有していてもよい。例えば、図２（ａ）の二点鎖線２２’に示すように複数の金属板を設け、切れ込み３ａ〜３ｃの先端から離隔するに連れて金属板を小さくしたり、金属板同士の間隔を空けたりすることにより、吸着力が弱くなるようにしてもよい。ボールマーカＭを切れ込み３ａ〜３ｃの先端から離隔させるとボールマーカＭと金属板とが平面視で互いに重なり合った部分の面積がだんだん小さくなるようにしてもよい。
【００２３】
［第２の実施形態］
以下、本発明の別の実施形態である第２の実施形態について説明する。第２の実施形態は多くの部分で第１の実施形態と同様の構成を有しており、以下においては主に第１の実施形態との違いについて説明する。第２の実施形態のマーカホルダ１００は、平板部材１０２及び１０３が積層された積層構造を有している。平板部材１０２には環状の貫通孔が３つ形成されており、この貫通孔に強磁性体からなる円板部材１２１〜１２３（磁性部材）が奥まではめ込まれている。円板部材１２１〜１２３の厚みは平板部材１０２の厚みより小さく、円板部材１２１〜１２３の上面を内底面とし、貫通孔内の表面を内側面とする凹部１１１〜１１３形成されている。円板部材１２１〜１２３は、図３（ａ）の矢印αの方向に向かって厚くなっており、これによって図３（ｂ）に示すように上面が傾斜している。
【００２４】
第２の実施形態によると、ボールマーカＭを凹部１１１〜１１３内に配置することで、円板部材１２１〜１２３の上面（吸着領域）にボールマーカＭを磁力により吸着させることができる。凹部１１１〜１１３の内側面と平板部材１０２の上面との間には段差が形成されているので、ボールマーカＭの位置ずれが段差により規制される。また、円板部材１２１〜１２３の上面が傾斜しているので、上記の段差は矢印αの方向にいくほど小さくなっている。したがって、ボールマーカＭを矢印αに沿ってスライドさせると、ボールマーカＭを凹部１１１〜１１３から容易に取り外すことができる。
【００２５】
なお、円板部材１１１〜１１３の上面を傾斜させるのではなく、平板部材１０２の上面の方を傾斜させてもよい。図３（ｃ）はこのような変形例を示している。部材２０２は図３（ａ）の矢印βの方向にいくほど厚みが小さくなるように平板部材１０２の上面を傾斜させたものに相当し、部材２２１は円板部材１２１を平板にしたものに相当する。これによって、凹部１１１の代わりに凹部２１１が形成されている。凹部２１１の内側面と部材２０２の上面との間には段差が形成され、凹部２１１内にボールマーカＭを配置した際、ボールマーカＭのずれが規制される。また、部材２０２の上面は上記のとおり矢印βに沿って傾斜しているため、部材２２１の上面との段差が矢印βの方向にいくほど小さくなっている。これにより、ボールマーカＭを矢印βに沿ってスライドさせると、ボールマーカＭを凹部２１１から容易に取り外せる。
【００２６】
［第３の実施形態］
以下、本発明の別の実施形態である第３の実施形態について説明する。第３の実施形態は多くの部分で第２の実施形態と同様の構成を有しており、以下においては主に第２の実施形態との違いについて説明する。第３の実施形態のマーカホルダ３００は、平板部材３０２及び３０３が積層された積層構造を有している。平板部材３０２には環状の貫通孔が３つ形成されており、この貫通孔に強磁性体からなる円板部材３２１〜３２３（磁性部材）が奥まではめ込まれている。円板部材３２１〜３２３は、平板部材３０２と同じ厚みの平板部材である。また、平板部材３０２の上面には、上方に向かって突出する突出部３３１〜３３３が貫通孔の外縁に沿って形成されている。突出部３３１〜３３３は、いずれも環状の貫通孔の図中左半分の外縁に沿っている。突出部３３１〜３３３の側面と円板部材３２１〜３２３の上面の間には段差３１１〜３１３が形成されている。段差３１１〜３１３は、図中最も左方の位置が最も高く、そこから右方にいくに連れて徐々に低くなっている。
【００２７】
第３の実施形態によると、ボールマーカＭを円板部材３２１〜３２３の上面（吸着領域）に磁力により吸着させることができる。突出部３３１〜３３３の側面と円板部材３２１〜３２３の上面との間には段差３１１〜３１３が形成されているので、ボールマーカＭの位置ずれがこれらの段差により規制される。また、突出部３３１〜３３３は図３（ａ）の左半分にのみ形成されているので、突出部３３１〜３３３から離隔するようにボールマーカＭをスライドさせると、ボールマーカＭを円板部材３２１〜３２３の上面から容易に取り外せる。
【００２８】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００２９】
例えば上述の実施形態においては、ボールマーカＭを吸着させる金属板等がマーカホルダの外表面に露出している。しかし、これらの金属板等が、マーカホルダの外表面の所定位置にボールマーカＭを吸着させるようにマーカホルダ内に配置されていてもよい。例えば、ボールマーカＭを吸着させる表面が、強磁性を有する材料ではなく樹脂素材等で構成されており、吸着位置の背後に相当するホルダ内部の位置に金属板が配置されていてもよい。
【００３０】
また、上述の実施形態においては、ボールマーカＭに永久磁石が設けられ、マーカホルダ側には強磁性を有する金属板等が設けられるとしている。しかし、ボールマーカＭが磁性材料を含んでいるのであれば、マーカホルダ側に永久磁石が設けられていてもよい。
【００３１】
また、上述の第１の実施形態では、切れ込み３ａ〜３ｃが切れ込み２ａ〜２ｃより若干大きく形成されていることによりポケット状の空間３１〜３３が形成されている。しかし、保持領域１ａ〜１ｃに吸着されたボールマーカＭの表面を外部から視認しやすくするという観点からは、ボールマーカＭの一部を覆う空間３１〜３３が形成されていなくてもよい。例えば、切れ込み３ａ〜３ｃが切れ込み２ａ〜２ｃと同じ大きさであってもよい。
【符号の説明】
【００３２】
Ｍ  ボールマーカ、１、１００、３００  マーカホルダ、１ａ-１ｃ  保持領域、２１-２３  金属板、３１１-３１３  段差、３３１-３３３  突出部
【図１】
2011019855.tif 000003
【図２】
2011019855.tif 000004
【図３】
2011019855.tif 000005
【図４】
2011019855.tif 000006